(57)【特許請求の範囲】
【請求項１】
坩堝内の融液に下地板の表層部を浸し、下地板の表面で融液を凝固させて薄板を形成する薄板製造方法であって、前記融液は金属材料および半導体材料のうち少なくとも一方を含み、下地板から落下する融液の凝固片（ただし、前記坩堝内の融液に落下するものを除く）を、前記坩堝または前記坩堝とは異なる坩堝に投入することを特徴とする薄板製造方法。
【請求項２】
前記坩堝内の融液が設定量以下に減少すると、前記凝固片を前記坩堝に投入することを特徴とする請求項１に記載の薄板製造方法。
【請求項３】
前記坩堝内の融液が設定量以下に減少すると、前記融液の新規原料のみを前記坩堝に投入する第１の工程と、前記坩堝内の融液が設定量以下に減少すると、前記融液の新規原料と前記凝固片とを前記坩堝に投入する第２の工程とを備える請求項１に記載の薄板製造方法。
【請求項４】
前記凝固片が設定量以上になるまで、前記凝固片を貯蔵する請求項１〜３のいずれかに記載の薄板製造方法。
【請求項５】
坩堝内の融液に下地板の表層部を浸し、下地板の表面で融液を凝固させて薄板を形成する薄板製造装置であって、前記融液は金属材料および半導体材料のうち少なくとも一方を含み、下地板から落下する融液の凝固片を受け取る手段と、前記坩堝または前記坩堝とは異なる坩堝に凝固片を投入する手段とを備えることを特徴とする薄板製造装置。
【請求項６】
凝固片を受け取る前記手段は、貯蔵している凝固片の量を測定する手段を有する請求項５に記載の薄板製造装置。
【請求項７】
凝固片を投入する前記手段は、凝固片を押し出すことにより、前記坩堝または前記坩堝と異なる坩堝に凝固片を投入する請求項５に記載の薄板製造装置。
【請求項８】
凝固片を投入する前記手段は、凝固片を受け取る前記手段を傾けることにより前記坩堝または前記坩堝とは異なる坩堝に凝固片を投入する請求項５に記載の薄板製造装置。
【発明の詳細な説明】
【技術分野】
【０００１】
本発明は、材料の利用効率が高い薄板製造方法および薄板製造装置に関するものである。
【背景技術】
【０００２】
近年、太陽電池用多結晶シリコンの製造方法として、スライス工程を必要としない薄板シリコンの製造方法が開発されている（特許文献１参照）。この方法は、坩堝内のシリコン融液中に下地板の表層部を浸し、その下地板の表面上でシリコン融液を凝固させて、薄板シリコンを製造する。また、薄板を製造するにつれて融液量が徐々に減少するため、原料を追装することにより連続的な薄板製造を可能にしている。この方法は、下地板を複数の坩堝の融液に浸漬できるようにし、第１の坩堝を使用して薄板の製造を行なっている間に、第１の坩堝と異なる第２の坩堝に原料を追加し、融解しておき、第１の坩堝内の融液が一定量以下に減少すると、第２の坩堝を使用して薄板を製造する方法である。
【０００３】
また、鋳造の際に発生するバリなどの不要な材料を再度、原料として用いる方法がある（特許文献２参照）。しかし、鋳造の工程では薄板製造のように落下物が発生することは考えられず、特許文献２には、落下する融液の凝固片の再利用に関して言及していない。
【特許文献１】特開２００４−３３１４２９号公報
【特許文献２】特開２００１−３４２５２４号公報
【発明の開示】
【発明が解決しようとする課題】
【０００４】
特許文献１の方法では、下地板を融液から引き上げる際に、融液の凝固片などの落下物が発生し、落下物の量だけ材料の利用効率が減少するという問題がある。ここでいう落下物とは、主に薄板シリコンの欠けおよび割れなどによる落下物、または下地板側面および下地板後面に凝固したシリコン片の落下物である。また、大量の落下物が装置内に溜まると落下物を取り除くためのメンテナンスが必要になる。
【０００５】
本発明の課題は、材料の利用効率の高い薄板製造方法を提供することにある。また、メンテナンスを低減した薄板製造装置を提供することにある。
【課題を解決するための手段】
【０００６】
本発明の薄板製造方法は、坩堝内の融液に下地板の表層部を浸し、下地板の表面で融液を凝固させて薄板を形成する方法であって、融液は金属材料および半導体材料のうち少なくとも一方を含み、下地板から落下する融液の凝固片を、同一の坩堝または異なる坩堝に投入することを特徴とする。
【０００７】
かかる薄板の製造方法にあっては、坩堝内の融液が設定量以下に減少すると、落下物を坩堝に投入する態様が好ましい。また、坩堝内の融液が設定量以下に減少すると、融液の新規原料のみを坩堝に投入する第１の工程と、その後、坩堝内の融液が設定量以下に減少すると、融液の新規原料と落下物とを坩堝に投入する第２の工程とを備える方法が好ましい。落下物は、設定量以上になるまで、落下物を貯蔵しておく態様が望ましい。
【０００８】
本発明の薄板製造装置は、坩堝内の融液に下地板の表層部を浸し、下地板の表面で融液を凝固させて薄板を形成する装置であって、融液は金属材料および半導体材料のうち少なくとも一方を含み、下地板から落下する融液の凝固片を受け取る手段と、同一の坩堝または異なる坩堝に凝固片を投入する手段とを備えることを特徴とする。
【０００９】
凝固片を受け取る手段は、貯蔵している凝固片の量を測定できるものが好ましく、凝固片を投入する手段は、凝固片を押し出すことにより、同一または異なる坩堝に凝固片を投入する態様が好適である。また、凝固片を投入する手段は、凝固片を受け取る手段を傾けることにより凝固片を投入する態様が好ましい。
【発明の効果】
【００１０】
薄板の製造工程で発生する落下物を再利用し、材料の利用効率を高めることができる。また、落下物が製造装置内に大量に溜まるのを防ぎ、装置のメンテナンスを軽減することもできる。
【発明を実施するための最良の形態】
【００１１】
実施形態１
実施形態１の薄板製造方法および薄板製造装置を図１を用いて説明する。図１は、この装置の断面図である。図１に示すように、主室内に配置された坩堝１０１内の原料融液１０２中に、浸漬機構１００を用いて、下地板１０４の表層部を浸し、その下地板１０４の表面上で原料融液１０２を凝固させて、薄板を製造する。連続的に薄板を製造可能にするために、原料の追装機構（図示していない。）を有している態様が望ましい。下地板１０４を原料融液１０２から引き上げる際、融液が凝固し、薄板の欠け、割れが発生し、または下地板１０４の側面および後面で凝固した凝固片が、下地板から落下することがある。落下物受け板１０５は、下地板から落下する融液の凝固片を受け取る手段であり、落下物は落下物受け板１０５上に溜まる。また、落下物押出し用板１０６は、坩堝に凝固片を投入する手段であり、落下物押し出し用板１０６を矢印Ｓ１に沿って押出すことにより落下物を坩堝に投入し、融液中に戻すことが可能である。したがって、かかる方法および装置により、融液中に戻した落下物の分だけ再利用し、材料の利用効率を高めることができる。また、落下物が装置内に大量に溜まるのを防ぎ、装置メンテナンスを軽減することができる。主室内は反応性の高い原料を融解するため、真空排気し、または、Ａｒなどの不活性ガスを充填できる機構を備える態様が望ましい。
【００１２】
浸漬機構１００には、ガイドレールを使用する機構、回転体を使用する機構、ロボットアームのような構造を使用する機構など、任意の機構を用いることができる。たとえば、ガイドレールを使用する機構を図１に示す。図１に示すように、この機構は、水平動作レール１１０に沿って動作するスライド体１１１と、スライド体１１１に取り付けられた昇降機構１１２を備える。昇降機構１１２には、懸垂支柱１１３、懸垂支柱に設置された回転機構１１４、回転機構によって動作される回転支柱１１５および台座支持部１１６が吊り下げられている。台座支持部１１６には、下地板１０４を保持する台座１１７が接続されている。
【００１３】
下地板１０４の水平方向の移送は、水平動作レール１１０に沿ってスライド体１１１が移動することにより、昇降機構１１２と懸垂支柱１１３以下に吊り下がっている機構全体が水平方向に移動することにより行なわれる。下地板１０４の上下方向の移送は、昇降機構１１２が懸垂支柱１１３以下に吊り下がっている機構全体を上下方向に移動することにより行なわれる。下地板１０４の回転動作は、回転機構１１４によって行なわれる。上記の水平動作、上下動作または回転動作は、それぞれ独立に制御可能である。さらに、連続的に薄板を製造すると、湯面が徐々に減少するため、浸漬機構１００には湯面位置に合わせて下地板の浸漬軌道を調節できる機能を有している態様が望ましい。
【００１４】
坩堝１０１の形状は、特に限定されるものではない。また、原料の融解に用いる加熱手段１０３には、抵抗加熱、誘導加熱または赤外線ランプ加熱など、金属原料および半導体原料を融解する一般的な方法を用いることが可能である。一方、下地板１０４の材質は、高温の融液中への浸漬により損傷することのないように、十分な耐熱性を持つことが条件となる。たとえば、シリコン薄板を製造する場合は、耐熱性の観点からカーボンを使用するのが望ましい。また、原料融液１０２としては、金属材料および半導体材料のうち少なくとも一方を含む材料の融液を使用することができる。半導体材料としては、シリコン、ゲルマニウム、ガリウム、ひ素、インジウム、硼素、アンチモン、亜鉛、すずなどであり、金属材料としては、アルミニウム、ニッケル、鉄などを使用することが可能である。
【００１５】
落下物受け板１０５と落下物押し出し用板１０６の材質は、落下物と化学反応しないこと、落下物との衝突により損傷することのないように耐久性を持つこと、薄板の性質に悪影響を及ぼさない材質であることが必要である。たとえば、シリコン薄板を製造する場合は、耐久性と不純物の観点から、カーボンを使用するのが望ましい。
【００１６】
装置外から装置内へ追装する新規原料の形状は、融解が容易である点で粒状が望ましい。一方、下地板からの落下物の形状は薄板状であったり、細長い形状であったりとさまざまであるため、追装の際に、落下物は溶湯の外に出ている部分の体積が大きく、新規原料に比べて、融解に要する時間は長くなる。したがって、融解時間を短縮し、生産性を向上するために、坩堝内の融液が設定量以下に減少すると、融液の新規原料のみを坩堝に投入する第１の工程を優先し、その後、坩堝内の融液が設定量以下に減少するとき、融液の新規原料と落下物とを坩堝に投入する第２の工程を実施する態様が好ましい。
【００１７】
実施形態２
実施形態２の薄板製造方法及び薄板製造装置を図２を用いて説明する。図２（ａ）は、この装置の断面図であり、図２（ｂ）および図２（ｃ）は、平面図である。図２に示すように、本実施形態では、坩堝を２つ使用するが、他の点においては、実施形態１と同様である。図２（ａ）に示すように、主室内に坩堝２０１Ａと坩堝２０１Ｂを配置し、加熱手段２０３により、融解し、原料融液２０２Ａ、２０２Ｂを作製する。また、連続的に薄板を製造可能にするために、原料の追装機構（図示していない。）を有し、坩堝２０１Ａと坩堝２０１Ｂのどちらにも追装可能である態様が望ましい。
【００１８】
まず、図２（ｂ）に示すように、落下物押し出し用板２０６を坩堝２０１Ａの回りを取り囲む位置に配置しておき、浸漬機構２００により下地板（図示していない。）の表層部を原料融液２０２Ａに浸し、その下地板の表面上で原料融液２０２Ａを凝固させて、薄板を製造する。融液量が任意の設定量以下に減少すると、落下物押し出し用板２０６を矢印の方向Ｓ２に移動して、落下物受け板２０５上の落下物を坩堝２０１Ａに投入する。必要に応じて、原料を追装し、坩堝２０１Ａ内で融解する。本発明の薄板製造方法は、下地板を坩堝内の融液に浸し、下地板上で凝固させて薄板を製造する。したがって、融液が少な過ぎることにより下地板と坩堝とが接触して、装置が破損するのを回避するために、坩堝内の融液が設定量以下に減少すると、落下物などを投入する態様が好ましい。
【００１９】
また、落下物を融液２０２Ａ中に戻した後、落下物押し出し用板２０６を図２（ｃ）に示すように、坩堝２０１Ｂの回りを取り囲む位置に移動させる。同様に、浸漬機構２００により下地板（図示していない。）の表層部を原料融液２０２Ｂに浸し、その下地板の表面上で原料融液２０２Ｂを凝固させて、薄板を製造する。融液量が任意の規定量にまで低下したら、落下物押し出し用板２０６を矢印の方向Ｓ２に移動して、落下物受け板２０５上の落下物を坩堝２０１Ｂに投入する。必要に応じて、原料を追装し、坩堝２０１Ｂ内で融解する。また、落下物を融液２０２Ｂ中に戻した後、図２（ｂ）に示すように、落下物押し出し用板２０６を坩堝２０１Ａの回りを取り囲む位置に移動させる。
【００２０】
このように複数の坩堝を用意し、下地板から落下する融液の凝固片を、薄板を形成していた坩堝または異なる坩堝に投入する。薄板を形成する坩堝のほかに、落下物などを追装し、融解する坩堝とを設けて、上記の操作を繰り返し行なうことにより、落下物の追装と融解に要する時間を短縮でき、生産性を向上させることができる。また、本実施の形態では坩堝の数が２個の場合を示したが、坩堝の数は２個以上でも同様の効果が得られる。
【００２１】
実施形態３
実施形態３の薄板製造方法および薄板製造装置を図３を用いて説明する。図３は、装置の断面図である。図３に示すように、本実施の形態では、落下物受け板３０５に、落下物の量を測定するためのバネ３０７を接続し、バネの変位量とバネ定数から落下物の量が測定できるようになっている。他の点では実施の形態１と同様である。凝固片を受け取る手段である落下物受け板３０５により、落下物の量を測定し、落下物が設定量以上になるまで貯蔵してから、落下物を融液中に戻すことで、坩堝内の融液量をより正確に制御できる。
【００２２】
実施形態４
実施形態４の薄板製造方法および薄板製造装置を図４を用いて説明する。図４は、装置の断面図である。図４に示すように、本実施の形態では、落下物受け板４０５には、落下物受け板４０５を傾斜させるために、落下物受け板用支柱４０８が接続されている。他の点では、実施の形態１と同様である。落下物受け板用支柱４０８を矢印Ｔ１に示すように、上下に動かすことにより、落下物受け板４０５を傾け、落下物受け板上の落下物を融液中に投入し、再利用することができる。実施形態１で用いた落下物押し出し用板１０６は、浸漬機構１００と接触し、故障の原因となる恐れがある。落下物受け板を傾けて落下物を融液中に戻す態様とすることにより、装置故障を少なくすることができる。したがって、凝固片を坩堝に投入する手段は、凝固片を受け取る手段である落下物受け板を傾けることにより、実施する態様が好ましい。
【００２３】
つぎに、坩堝内の融液に下地板の表層部を浸すことにより下地板の表面で融液を凝固させて薄板を形成した。また、シリコン融液を用い、シリコン融液が凝固し、下地板から落下する凝固片を坩堝に投入し、さらに、新規原料の追装を行ない、材料利用効率と落下物ストック量を計算した。ここでいう落下物ストック量とは、装置内に溜まる落下物量のことを指す。
【００２４】
まず、前提条件を表１に示すように仮定した。ただし、前提条件の値は一例であり、その値に限定されるものではない。製造する薄板の枚数を１０００枚とし、坩堝内の初期シリコン充填量を３０ｋｇ、坩堝内の融液残湯シリコン量が１０ｋｇまで下地板の浸漬が可能であるとする（融液使用率２／３）。これは、下地板を坩堝内の融液シリコンに浸漬して薄板を製造するため、坩堝内にある程度溶湯シリコンがないと、下地板が坩堝に接触してしまい、装置自体が故障する恐れがあるためである。よって、坩堝内の融液シリコンの全てを利用できず、残湯シリコンが生じる。また、下地板の表面上に凝固した周縁部付きの薄板シリコンを０．０４ｋｇとし、製品サイズの薄板シリコンを０．０２ｋｇ、落下物を０．００８ｋｇとした。
【００２５】
【表１】
0004573750.tif 000002
【００２６】
坩堝１杯分の薄板製造枚数は以下の式で表せる。
（坩堝１杯分薄板製造枚数）
＝（融液使用量）÷（薄板１枚）
＝（３０×２／３）÷０．０４
＝５００
薄板を１０００枚製造するために投入するシリコン量は、初期原料量と追装分の原料を足した量になる。すると、追装の際のシリコン投入量は、坩堝１杯分の追装量から坩堝１杯分の落下物総量を引いた値になる。したがって、シリコン投入量は以下の式で表せる。
（シリコン投入量）
＝（初期原料量）＋（追装原料量）
＝（初期原料量）＋（坩堝１杯分追装量）×（追装回数）−（落下物総量）
＝（初期原料量）＋（坩堝１杯分追装量）×｛（薄板製造枚数）−（坩堝１杯分薄板製造枚数）｝÷（坩堝１杯分薄板製造枚数）−（落下物総量）
＝３０＋２０×｛（１０００−５００）／５００｝−１０００×０．００８
＝４２
したがって、材料利用効率は以下の式で表せる。
（材料利用効率）
＝（薄板製造分原料量）÷（シリコン投入量）
＝（１０００×０．０２）÷４２
＝０．４７６
また、装置内に溜まる落下物量は、坩堝１杯分の材料から薄板を製造する際に発生する落下物の量であるから以下の式で表せる。
（落下物ストック量）
＝（坩堝１杯分薄板製造枚数）×（1枚落下物量）
＝（２０／０．０４）×０．００８
＝４
【００２７】
つぎに、製造中、下地板から落下する凝固片を再利用せず、また新規原料の追装を行なわないようにして、同様に薄板を製造した。このときの材料利用効率と落下物ストック量を示す。追装なし、落下物再利用なしということは、初めに坩堝に充填された材料のみで薄板を製造することになる。すると、シリコン投入量は以下の式で表せる。
（シリコン投入量）
＝(初期原料量)×（使用坩堝個数）
＝(初期原料量)×（薄板製造枚数）÷（坩堝１杯分薄板製造枚数）
＝３０×１０００／（２０／０．０４）
＝６０
したがって、材料利用効率は以下の式で表せる。
（材料利用効率）
＝（薄板製造分原料量）÷（シリコン投入量）
＝（１０００×０．０２）÷６０
＝０．３３３
また、装置内に溜まる落下物量は以下の式で表せる。
（落下物ストック量）
＝（製造枚数）×（１枚の落下物量）
＝１０００×０．００８
＝８
【００２８】
つぎに、製造中、新規原料の追装を行なわず、下地板から落下する凝固片を再利用して同様に薄板を製造した。材料利用効率と落下物ストック量を示す。落下物の再利用を行なうので、シリコン投入量は以下の式で表せる。
（シリコン投入量）
＝(初期原料量)×（使用坩堝個数）−（落下物量）
＝３０×｛１０００／（２０／０．０４）｝−（１０００×０．００８）
＝５２
したがって、材料利用効率は以下の式で表せる。
（材料利用効率）
＝（薄板製造分原料量）÷（シリコン投入量）
＝（１０００×０．０２）÷５２
＝０．３８５
また、装置内に溜まる落下物ストック量は、坩堝１杯分の材料から薄板を製造する際に発生する落下物の量であるから以下の式で表せる。
（落下物ストック量）
＝（坩堝１杯分薄板製造枚数）×（1枚落下物質量）
＝（２０／０．０４）×０．００８
＝４
【００２９】
つぎに、製造中、下地板から落下する凝固片を再利用せず、新規原料の追装を行ない、同様に薄板を製造した。このときの材料利用効率と落下物ストック量を示す。新規原料を追装するので、シリコンの投入量は、初期原料量と、追装分の原料を足した量になる。
（シリコン投入量）
＝（初期原料量）＋（追装原料量）
＝(初期原料量)＋（坩堝１杯分追装量）×（追装回数）
＝(初期原料量)＋（坩堝１杯分追装量）×｛（薄板製造枚数）−（坩堝１杯分薄板製造枚数）｝／（坩堝１杯分薄板製造枚数）
＝３０＋２０×｛（１０００−２０／０．０４）／（２０／０．０４）｝
＝５０
したがって、材料利用効率は以下の式で表せる。
（材料利用効率）
＝（薄板製造分原料量）÷（シリコン投入量）
＝（１０００×０．０２）÷５０
＝０．４
また、装置内に溜まる落下物量は以下の式で表せる。
（落下物ストック量）
＝（製造枚数）×（1枚落下物量）
＝１０００×０．００８
＝８
以上の結果から、材料利用効率について表２にまとめ、落下物ストック量について表３にまとめた。
【００３０】
【表２】
0004573750.tif 000003
【００３１】
【表３】
0004573750.tif 000004
【００３２】
表２の結果から明らかなとおり、新規原料の追装を実施しないときと比較して、追装を実施することにより、材料利用効率が向上した。また、落下物の再利用を実施しないときと比較して、再利用を実施することにより、材料利用効率が向上することがわかった。一方、表３の結果から明らかなとおり、落下物ストック量は、落下物の再利用をしない場合に比べて、再利用をすることにより、８ｋｇから４ｋｇに減少させることができ、装置メンテナンスを軽減できることがわかった。
【００３３】
つぎに、坩堝内の融液量が設定量以下にまで減少した際に、下地板からの落下物を投入することにより追装し、新規原料は投入せず、同様に薄板を製造した。また、原料を追装、融解している間は、薄板製造ができないものとし、落下物を追装、融解に要する時間は１時間を要することとし、追装時間と落下物ストック量を調べた。
【００３４】
薄板を１０００枚製造するのに必要な追装回数は以下の式で表せる。
（追装回数）
＝（薄板製造枚数）÷（坩堝１杯分薄板製造枚数）
＝１０００÷（２０／０．０４）
＝２
追装時間は以下の式で表せる。
（追装時間）
＝（落下物追装回数）×（落下物追装時間）
＝２×１
＝２
また、装置内に溜まる落下物の最大量は以下の式で表せる。
（落下物ストック量）
＝（坩堝１杯分の落下物質量）
＝０．００８×（２０／０．００４）
＝４
【００３５】
つぎに、坩堝内の融液量が設定量以下にまで減少した際に、複数回（２回および１０回とする。）新規原料のみを投入した後、融液量が設定量以下にまで減少した際に、新規原料とともに落下物も投入することとし、同様に薄板を製造した。また、追装、融解に要する時間は、追装材料として新規原料を用いた場合は０．５時間とし、落下物を用いた場合は１時間要することとした。これは、新規原料の形状が粒状であるのに対し、落下物の形状は薄板状であったり、細長い形状であったりとさまざまであるため、一般的に落下物は溶湯の外に出る体積が大きくなり、融解するのに要する時間が長くなるためである。
【００３６】
追装時間は以下の式で表せる。
（追装時間）
＝（落下物追装回数）×（落下物追装時間）＋（新規原料追装回数）×（新規原料追装時間）
＝２×（１／３）×１＋２×（２／３）×０．５
＝１．３３３
１０回新規原料のみを投入するとき
（追装時間）
＝（落下物追装回数）×（落下物追装時間）＋（新規原料追装回数）×（新規原料追装時間）
＝２×（１／１１）×１＋２×（１０／１１）×０．５
＝１．０９１
【００３７】
また、装置内に溜まる落下物の最大量は以下の式で表せる。
２回新規原料のみを投入するとき
（落下物ストック量）
＝（坩堝１杯分の落下物質量）×３
＝１２
１０回新規原料のみを投入するとき
（落下物ストック量）
＝（坩堝１杯分の落下物質量）×１１
＝４４
こららの結果をまとめると、落下物の追装間隔を長くすれば、追装時間は短くなるが、装置内に溜まる落下物量は増加する。したがって、落下物の追装間隔を変えることにより、追装時間を短縮することも可能であるし、落下物受け板を小さくし、装置を小型化することも可能である。
【００３８】
つぎに、新規原料の追装は行なわないこととし、坩堝を２つ用い、落下物押出し用板を移動させて、落下物を坩堝に投入し、再利用することとし、同様に薄板を製造した。落下物押し出し用板を移動し、落下物を坩堝に投入している間は、その坩堝では薄板製造ができないが、他方の坩堝では薄板製造ができる。また、落下物押し出し用板を移動するのに要する時間は、１／６０時間とした。
【００３９】
坩堝２個のときの追装時間は以下の式で表される。
（追装時間）
＝（追装回数）×（落下物押し出し用板移動時間）
＝２×（１／６０）
＝０．０３３
また、装置内に溜まる落下物の最大量は以下の式で表せる。
（落下物ストック量）
＝（坩堝１杯分の落下物質量）
＝４
新規原料の追装を行なった先の例との間で追装時間を比較すると、
２回新規原料のみを投入するとき
１．３３３−０．０３３
＝１．３
１０回新規原料のみを投入するとき
１．０９１−０．０３３
＝１．０５８
したがって、新規原料の追装を行なった先の例に比べて追装時間が短縮されていることがわかった。また、落下物ストック量も減少させることができた。
【００４０】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４１】
本発明の薄板製造方法によれば、材料の利用効率を高めることができる。また、本発明の薄板製造装置では、融液の凝固した落下物が大量に溜まることがなく、メンテナンスを軽減することができる。
【図面の簡単な説明】
【００４２】
【図１】本発明の実施形態１における薄板製造装置の断面図である。
【図２】本発明の実施形態２における薄板製造装置を示す図である。
【図３】本発明の実施形態３における薄板製造装置の断面図である。
【図４】本発明の実施形態４における薄板製造装置の断面図である。
【符号の説明】
【００４３】
１００，２００  浸漬機構、１０１，２０１Ａ，２０１Ｂ  坩堝、１０２，２０２Ａ，２０２Ｂ  原料融液、１０３，２０３  加熱手段、１０４  下地板、１０５，２０５，３０５  落下物受け板、１０６，２０６  落下物押し出し用板、１１０  水平動作レール、１１１  スライド体、１１２  昇降機構、１１３  懸垂支柱、１１４  回転機構、１１５  回転支柱、１１６  台座支持部、１１７  台座、３０７  バネ、４０８  落下物受け板用支柱。
【図１】
0004573750.tif 000005
【図２】
0004573750.tif 000006
【図３】
0004573750.tif 000007
【図４】
0004573750.tif 000008